(57)【要約】【課題】基礎を保持する地盤の強度を向上しつつも、施工期間の短縮とコストの削減を達成することのできる基礎の施工方法を開発すること。【解決手段】  地盤１を土質固化材３と混合して表層改良し、コンクリート打設予定地の内側に改良土を盛って盛り台を形成し、改良土を締め固めることによって、コンクリート打設予定地よりも広いベース１ａの内側に盛り台が連続一体化した凸状の改良地盤を形成し、ベースの上に盛り台を囲む状態で型枠１４を組んで、型枠内に向かって盛り台８の上及びその周囲に基礎コンクリート１６を流し込み、基礎スラブ１１からつなぎ梁１０を垂下した逆べた基礎９を形成することを特徴とする基礎施工方法。【選択図】      図２
2007039948.tif 000002
【特許請求の範囲】
【請求項１】
地盤（１）を土質固化材（３）と混合して表層改良し、コンクリート打設予定地の内側に改良土を盛って盛り台（８）を形成し、改良土を締め固めることによって、コンクリート打設予定地よりも広いベース（１ａ）の内側に盛り台（８）が連続一体化した凸状の改良地盤を形成し、ベース（１ａ）の上に盛り台（８）を囲む状態で型枠（１４）を組んで、型枠（１４）内に向かって盛り台（８）の上及びその周囲に基礎コンクリート（１６）を流し込み、基礎スラブ（１１）からつなぎ梁（１０）を垂下した逆べた基礎（９）を形成することを特徴とする基礎施工方法。
【請求項２】
基礎スラブ（１１）から縦横のつなぎ梁（１０）を垂下した逆べた基礎（９）の下側に、凸状の改良地盤が嵌り合っており、
改良地盤は、基礎スラブ（１１）よりも広いベース（１ａ）の上に、縦横のつなぎ梁（１０）の内側に嵌り合う盛り台（８）を設け、表層改良に用いた土質固化材（３）によってベース（１ａ）と盛り台（８）が連続一体化したものであることを特徴とする基礎。
【発明の詳細な説明】
【技術分野】
【０００１】
本発明は、地盤を表層改良して、上下を逆にしたべた基礎、即ち、逆べた基礎を施工する方法及び、逆べた基礎をその下側の改良地盤と一体化する基礎に関する。
【背景技術】
【０００２】
通常、べた基礎を施工する場合は、型枠を組みコンクリートを流し込んで基礎スラブを作った後に、基礎スラブの上に再度、型枠を組みコンクリートを流し込んでつなぎ梁を作るので、コンクリートを２回打設することになる。
【０００３】
そこで本発明者は施工期間の短縮、コストの削減を狙って、コンクリートを一回打設するだけで基礎の施工が完了するように、基礎予定地に土を盛って締め固め、その盛り土の周囲に型枠を組みコンクリートを流し込んで、盛り土の上及び周囲を覆う形態の逆べた基礎を作ることを思いついた。ところが、盛り土を単に締め固めた程度ではその下側の地盤との一体性がないため、基礎を保持する地盤の強度が不十分となる。
【発明の開示】
【発明が解決しようとする課題】
【０００４】
本発明は上記実情を考慮してなされたもので、その目的は、基礎を保持する地盤の強度を向上しつつも、施工期間の短縮とコストの削減を達成することのできる基礎の施工方法の開発、及び逆べた基礎とその下側の地盤とを含めた全体の基礎の強度の向上を図ることである。
【課題を解決するための手段】
【０００５】
本発明者は、軟弱地盤の場合には土質固化材を用いて表層改良して地盤を固化することに気づき、地盤が軟弱か否かに関係なく盛り土の部分も地盤と同様に土質固化材を用いて固化すれば良いと考えた。このような観点から本発明は完成した。
【０００６】
即ち、本発明の請求項１の基礎施工方法は、地盤を土質固化材と混合して表層改良し、コンクリート打設予定地の内側に改良土を盛って盛り台を形成し、改良土を締め固めることによって、コンクリート打設予定地よりも広いベースの内側に盛り台が連続一体化した凸状の改良地盤を形成し、ベースの上に盛り台を囲む状態で型枠を組んで、型枠内に向かって盛り台の上及びその周囲に基礎コンクリートを流し込み、基礎スラブからつなぎ梁を垂下した逆べた基礎を形成するものである。
【０００７】
また、請求項２の発明の基礎は、基礎スラブから縦横のつなぎ梁を垂下した逆べた基礎の下側に、凸状の改良地盤が嵌り合っており、改良地盤は、基礎スラブよりも広いベースの上に、縦横のつなぎ梁の内側に嵌り合う盛り台を設け、表層改良に用いた土質固化材によってベースと盛り台が連続一体化したものであることを特徴とする。
【発明の効果】
【０００８】
本発明であれば、基礎コンクリートを打設する型枠の枠組みを一回で済ますことができ、施工期間の短縮とコストの削減を達成できることは勿論、土質固化材の養生によって、逆べた基礎の基礎スラブの下側となる盛り台と、盛り台の下側のベースが連続一体化した改良地盤となるので、改良地盤に逆べた基礎が嵌り込んだ構造となり、逆べた基礎の保持強度が向上し、ひいては逆べた基礎と凸状の改良地盤とが一体化した強固な基礎となる。
【発明を実施するための最良の形態】
【０００９】
基礎の施工方法を図面に基づきながら説明する。まず、図１（イ）に示すように、セメント系の土質固化材３を投入して基礎予定地の地盤１をバックホウやパワーショベル２で掘ることによって、地上から約７００ｍｍ下までの範囲において土と土質固化材３を混合撹拌して改良土とする。なお、基礎地盤予定地の周囲は地上下約１０００ｍｍまで深く掘っておき、改良地盤の横ズレを防止してある。続いて、図１（ロ）に示すように、コンクリート打設予定地の内側に改良土を盛り上げ、その反面、コンクリート打設予定地の外側を地上より約２００ｍｍ低くし、低くなった箇所に配管作業として配管４のほぼ水平な引き込み部分を埋設し、立ち上がり部分を所望位置から起立する。低くなった箇所を重機で上から締め固めて、さらに、後述する逆べた基礎周囲のつなぎ梁の下端面に相当する箇所５を、ローラー６で水平にならして所望の高さに正確にあわせる。改良地盤のうち地上より低い部分をベース１ａという。土質固化材３を投入してからこの時点までを数時間で行なう。
【００１０】
ローラー６でのならしが終わった時点では、ベース１ａはまだ完全には硬化していないが、その上に人間が乗って作業できる程度には固まっている。この半硬化状態の時点で図１（ハ）に示すようにコンクリート打設予定地の全周囲の一部の内周に沿って盛り台用の枠（外枠）７を組んで、その後、図１（ニ）に示すように枠７の内側に改良土をパワーショベルで移動させて上面を重機で締め固め、ローラーでならし、ベース１ａよりも約４８０ｍｍ高くした盛り台８を部分的に作っていく。符号７ａは補強用の斜め材である。締め固めてならした箇所の隣り側や別の箇所にも、同様に盛り台用の枠７を組んで、順次、改良土を枠７の内側に移動して同様に上面を締め固めてならし、最終的にはコンクリート打設予定地の内側全域に亘って改良土を行き渡らせて同様に締め固めてならし、表層改良を完了する。盛り台用の枠７は、改良土の締め固めが全て終わってから一挙に外しても良いし、締め固めが終わった箇所から順次外しても良い。
【００１１】
逆べた基礎９は図２（ニ）に示すようにそのつなぎ梁１０を基礎スラブ１１の周囲だけでなく、その内側からも垂下させるので、内側のつなぎ梁に相当する箇所に中抜き空間１２を作る必要がある。従って、盛り台８を作る途中では、図２（イ）に示すように、基礎用の型枠工事の一環として角柱状の中抜き枠１３を、盛り台８の内側であって内側のつなぎ梁予定箇所に寝かせた状態で押し込み、図２（ロ）に示すように盛り台８の形状が崩れない程度に硬化してから中抜き枠１３を抜き外して中抜き空間１２を作る。このようにして盛り台８が完成する。次に、図２（ハ）に示すように、盛り台８の外側につなぎ梁用の間隔を約１５０ｍｍあけて基礎コンクリート用の型枠１４を組み、型枠組みと相前後して型枠１４の内側、盛り台８の上方、及び中抜き枠１３を外した箇所に芯材となる鉄筋１５を張り巡らせ、最後に基礎コンクリート１６を流し込む。なお、図示しないが、鉄筋を組む際には、基礎上に構築する躯体を止めるためのアンカーボルト等も、鉄筋に固定しておく。符号１４ａは補強用の斜め材である。基礎コンクリート１６が硬化した後に型枠１４を外し、ベース１ａの外縁部の上にも土を埋め戻して、逆べた基礎９が完成し、約１２０ｍｍの上下厚の基礎スラブ１１よりも上側に配管４の立ち上がり部分が突出した形態となる。なお、図３は逆べた基礎９のつなぎ梁１０と盛り台８の関係を示す断面図であり、これから分かるように、つなぎ梁１０が盛り台８の周囲及び中抜き空間１２に嵌り合った状態となっている。盛り台８は、養生させることによってベース１ａと一緒に硬化し、全体として凸状に連続一体化した強固な改良地盤となる。
【００１２】
上述して完成した逆べた基礎９は、基礎スラブ１１の上にフローリング材を敷き並べて接着したり、つなぎ梁１０の上側にアンカーボルトを利用して躯体の垂直材を建てたりして使用する。
【００１３】
本発明は上記実施形態に限定されない。例えば、配管作業は、盛り台８の完成後に行っても良い。つまり、盛り台８の上に配管４を張り巡らせ、配管４の上から基礎コンクリート１６を流し込んで逆べた基礎９を作っても良い。また、盛り台用の枠組みは任意であり、枠組みしない場合は図４に示すように盛り台８の周囲が多少、末広がり形態となるので、枠組みした場合に比べて、その分だけ基礎コンクリートの使用量が増える。
【図面の簡単な説明】
【００１４】
【図１】（イ）〜（ニ）図は基礎施工手順の前半部分を示す作業工程図である。
【図２】（イ）〜（ニ）図は基礎施工手順の後半部分を示す作業工程図である。
【図３】逆べた基礎のつなぎ梁と盛り台の関係を示す横断面図である。
【図４】盛り台用の枠組みをしないで逆べた基礎を施工した状態を示す完成図である。
【符号の説明】
【００１５】
３  土質固化材
８  盛り台
９  逆べた基礎
１０  つなぎ梁
１１  基礎スラブ
１４  型枠
１６  基礎コンクリート
【図１】
2007039948.tif 000003
【図２】
2007039948.tif 000004
【図３】
2007039948.tif 000005
【図４】
2007039948.tif 000006